(57)【要約】      （修正有）【課題】スタンドアローンでも使用することができ、発券装置内にユニットとして組み込むことも可能なプリンタ装置を提供する。【解決手段】記録ヘッドが取り付けられた第１のケース６０と、プラテンローラが取り付けられた第２のケース７０と、を有し、前記第１のケースには、記録紙を供給する給紙口が設けられており、前記第２のケースには、前記記録紙を排紙する排紙口が設けられており、前記第１のケースには、前記プラテンローラの軸を回転可能な状態で支持するロックレバー８１が設けられており、前記第１のケースと前記第２のケースとを接続することにより、前記ロックレバーの支持部にプラテンローラの軸が入る。【選択図】図１８
2016203382.tif 000002
【特許請求の範囲】
【請求項１】
記録ヘッドが取り付けられた第１のケースと、
プラテンローラが取り付けられた第２のケースと、
を有し、
前記第１のケースには、記録紙を供給する給紙口が設けられており、
前記第２のケースには、前記記録紙を排紙する排紙口が設けられており、
前記第１のケースには、前記プラテンローラの軸を回転可能な状態で支持するロックレバーが設けられており、
前記第１のケースと前記第２のケースとを接続することにより、前記ロックレバーの支持部にプラテンローラの軸が入ることを特徴とするプリンタ装置。
【請求項２】
前記第１のケースの面には、前記第２のケースに設けられたスライド部が入る溝部が設けられており、
前記ロックレバーを動かした際、前記スライド部は前記溝部内をスライドし、前記第１のケースに対して前記第２のケースが相対的に移動することを特徴とする請求項１に記載のプリンタ装置。
【請求項３】
前記第１のケースと前記第２のケースとが接続された状態において、前記記録ヘッドを前記プラテンローラに向けて押すバネが設けられており、
前記ロックレバーの操作により、前記バネの付勢力によって前記プラテンローラが押され、前記第１のケースと前記第２のケースとが離れることを特徴とする請求項１または２に記載のプリンタ装置。
【請求項４】
前記第２のケースには、記録紙を切断するカッターを取る付けることができるものであって、
前記第２のケース内にカッターを取り付けるか否かにより、カッターありのプリンタ装置にするか、カッターなしのプリンタ装置にするか選択が可能であることを特徴とする請求項１から３のいずれかに記載のプリンタ装置。
【請求項５】
前記第１のケースには、前記給紙口に回動可能なフラッパが取り付けられていることを特徴とする請求項１から４のいずれかに記載のプリンタ装置。
【請求項６】
前記排紙口には、プレゼンタあるいはベゼルの少なくとも一方が接続されていることを特徴とする請求項１から５のいずれかに記載のプリンタ装置。
【請求項７】
前記プリンタ装置は、他の装置の内部に取り付けられるものであることを特徴とする請求項１から６のいずれかに記載のプリンタ装置。
【請求項８】
請求項１から７のいずれかに記載のプリンタ装置は、前記記録紙を収納する収容部と、記録紙を排紙する筐体部材排紙口とを有する筐体部材に入れられる、
ことを特徴とするプリンタ装置。
【請求項９】
記録ヘッドを有する第１のケースと、
プラテンローラを有する第２のケースと、
前記第１のケースに設けられ、前記プラテンローラの軸を支持するロックと、を有し、
前記ロックにより前記軸が支持されている状態で、前記第１のケースと前記第２のケースとが接続し、前記ロックによる前記軸の支持が解除された状態で、前記第１のケースが前記第２のケースから分離可能となることを特徴とするプリンタ装置。
【請求項１０】
前記第１のケースまたは前記第２のケースに制御基板を設置することにより、独立したプリンタとして使用が可能であることを特徴とする請求項１から９のいずれかに記載のプリンタ装置。
【請求項１１】
前記第１のケースまたは前記第２のケースには、オペレーションパネル及びインターフェース用接続端子が設けられており、スタンドアローンとして使用することができることを特徴とする請求項１０に記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなプリンタは、感熱紙などの記録紙を搬送しながら印字ヘッドにより記録紙に印字等を行ない、所定の長さまで記録紙を搬送した後、カッターで所定の長さで記録紙を切断するものである。
【０００３】
このようなプリンタ装置においては、記録紙としてロール状に巻かれたロール紙が用いられており、印字ヘッドとプラテンローラに間に記録紙が挟まれた状態で、印字ヘッドにより記録紙に印字がなされる。
【先行技術文献】
【特許文献】
【０００４】
【特許文献１】特開２０１３−１０２６９号公報
【特許文献２】特開２００９−９６５９５号公報
【発明の概要】
【発明が解決しようとする課題】
【０００５】
プリンタ装置においては、ロール紙を設置するための記録紙ホルダが設けられており、記録紙を設置する方法としては、ロール記録紙を支持する給紙軸を設けた構造のものや、ロール記録紙を入れるための記録紙ホルダを設ける等の様々な方法があり、用途やニーズに応じて記録紙の設置方法等も変わってくる。
【０００６】
また、プリンタ装置は、レシート等を発券する発券装置などの内部にユニットとして組み込んで使用する場合と、スタンドアローン装置として使用する場合とがある。組み込みユニットとして使用する場合とスタンドアローンで使用する場合とでは、用途や使用環境も異なるため、設計思想等が異なっており、各々独自のものとなっていた。
【０００７】
しかしながら、スタンドアローンで使用するプリンタ装置を発券装置内にユニットとして組み込むことができれば、部品等を共有化することができるため、低コストでプリンタ装置を提供することができる。
【０００８】
よって、スタンドアローンでも使用することができ、発券装置内にユニットとして組み込むことも可能なプリンタ装置が求められている。
【課題を解決するための手段】
【０００９】
本実施の形態の一観点によれば、記録ヘッドが取り付けられた第１のケースと、プラテンローラが取り付けられた第２のケースと、を有し、前記第１のケースには、記録紙を供給する給紙口が設けられており、前記第２のケースには、前記記録紙を排紙する排紙口が設けられており、前記第１のケースには、前記プラテンローラの軸を回転可能な状態で支持するロックレバーが設けられており、前記第１のケースと前記第２のケースとを接続することにより、前記ロックレバーの支持部にプラテンローラの軸が入ることを特徴とする。
【発明の効果】
【００１０】
本発明によれば、プリンタ装置をスタンドアローンで使用することもでき、装置の一部として組み込むこともできる。
【図面の簡単な説明】
【００１１】
【図１】アームに給紙軸が設けられたプリンタ装置の斜視図
【図２】アームに給紙軸が設けられたプリンタ装置の説明図
【図３】記録紙を入れる記録紙ホルダが設けられたプリンタ装置の斜視図
【図４】記録紙を入れる記録紙ホルダが設けられたプリンタ装置の説明図
【図５】第１の実施の形態におけるプリンタ装置の斜視図
【図６】第１の実施の形態におけるプリンタ装置の側面図
【図７】第１の実施の形態におけるプリンタ装置の説明図（１）
【図８】第１の実施の形態におけるプリンタ装置の説明図（２）
【図９】第１の実施の形態におけるプリンタ装置の内部の斜視図
【図１０】第１の実施の形態におけるカッターなしのプリンタ装置の説明図（１）
【図１１】第１の実施の形態におけるカッターなしのプリンタ装置の内部の斜視図（１）
【図１２】第１の実施の形態におけるカッターなしのプリンタ装置の内部の斜視図（２）
【図１３】第１のケースと第２のケースとが離れた状態の斜視図（１）
【図１４】第１のケースと第２のケースとが離れた状態の斜視図（２）
【図１５】プリンタ装置から記録紙を除去する場合の説明図
【図１６】ロックレバーの説明図（１）
【図１７】ロックレバーの説明図（２）
【図１８】ロックレバーの説明図（３）
【図１９】ロックレバーの説明図（４）
【図２０】ロックレバーの説明図（５）
【図２１】ロックレバーの説明図（６）
【図２２】ロックレバーの説明図（７）
【図２３】第１の実施の形態におけるプリンタ装置の説明図（３）
【図２４】第１の実施の形態におけるプリンタ装置の説明図（４）
【図２５】第１の実施の形態におけるプリンタ装置の説明図（５）
【図２６】第１の実施の形態におけるプリンタ装置の説明図（６）
【図２７】第１の実施の形態におけるプリンタ装置の説明図（７）
【図２８】第１の実施の形態におけるプリンタ装置の説明図（８）
【図２９】第１の実施の形態におけるプリンタ装置の説明図（９）
【図３０】第１の実施の形態におけるプリンタ装置の説明図（１０）
【図３１】第１の実施の形態におけるプリンタ装置の説明図（１１）
【図３２】第１の実施の形態におけるプリンタ装置の説明図（１２）
【図３３】第１の実施の形態におけるプリンタ装置の説明図（１３）
【図３４】第１の実施の形態におけるプリンタ装置の説明図（１４）
【図３５】プリンタ装置の壁面への取付方法の説明図（１）
【図３６】プリンタ装置の壁面への取付方法の説明図（２）
【図３７】プリンタ装置の壁面への取付方法の説明図（３）
【図３８】プリンタ装置の壁面への取付方法の説明図（４）
【図３９】プリンタ装置の壁面への取付方法の説明図（５）
【図４０】プリンタ装置の壁面への取付方法の説明図（６）
【図４１】プリンタ装置の壁面への取付方法の説明図（７）
【図４２】プリンタ装置の壁面への取付方法の説明図（８）
【図４３】プリンタ装置の壁面への取付方法の説明図（９）
【図４４】第１の実施の形態におけるカッターなしのプリンタ装置の説明図（２）
【図４５】第１の実施の形態におけるカッターなしのプリンタ装置の説明図（３）
【図４６】第１の実施の形態におけるカッターなしのプリンタ装置の説明図（４）
【図４７】第１の実施の形態における独立したプリンタ装置の説明図（１）
【図４８】第１の実施の形態における独立したプリンタ装置の説明図（２）
【図４９】制御基板を含んでいないプリンタ装置の説明図
【図５０】プレゼンタが接続されたプリンタ装置の説明図
【図５１】ベゼルが接続されたプリンタ装置の説明図
【図５２】フラッパの説明図（１）
【図５３】フラッパの説明図（２）
【図５４】フラッパの説明図（３）
【図５５】第２の実施の形態におけるプリンタ装置の説明図（１）
【図５６】第２の実施の形態におけるプリンタ装置の説明図（２）
【図５７】第２の実施の形態におけるプリンタ装置の説明図（３）
【図５８】第２の実施の形態における他のプリンタ装置の説明図（１）
【図５９】第２の実施の形態における他のプリンタ装置の説明図（２）
【発明を実施するための形態】
【００１２】
本発明を実施するための形態について、以下に説明する。尚、同じ部材等については、同一の符号を付して説明を省略する。
【００１３】
最初に、図１及び図２に基づき、ロール状に巻かれた記録紙（以下、「ロール紙」とも称する）を支持する給紙軸が設けられている構造のプリンタ装置について説明する。このプリンタ装置は、ロール紙９００に印字するための印字ユニット９１０、印字された記録紙９００を切断するカッター９１１等を有しており、カッター９１１により切断された記録紙９００は、排紙口９１２より排紙される。記録紙９００は、アーム９１３に接続された給紙軸９１４にロール紙９００中心の開口部を入れることにより設置される。また、プリンタ装置には、プリンタ装置の制御を行うための制御基板９１５も設けられている。図１は、プリンタ装置の斜視図であり、図２は、内部構造を示す斜視図である。
【００１４】
次に、図３及び図４に基づき、ロール紙が入れられる空間を有する記録紙ホルダが設けられたプリンタ装置を説明する。このプリンタ装置は、印字ユニット９２０、カッター９２１を有しており、カッター９２１により切断された記録紙９００は、排紙口９２２より排紙される。ロール紙９００は、プリンタ装置内の記録紙ホルダ９２３内に入れられ、蓋９２４を閉じることにより設置される。また、プリンタ装置の制御を行うための制御基板９２５も設けられている。図３は、このプリンタ装置の斜視図であり、図４は、内部構造を示す斜視図である。
【００１５】
上述したプリンタ装置は、ある程度の設計変更することは可能ではあるが、発券装置等においては、様々なニーズや用途が存在していることから、十分に対応することができない場合があり、より小型で設計の自由度の高いものが求められている。
【００１６】
（プリンタ装置）
次に、本実施の形態におけるプリンタ装置１００について図５から図９に基づき説明する。図５は、カッター３０が取り付けられている状態の本実施の形態におけるプリンタ装置１００の斜視図であり、図６は側面図であり、図７及び図８は異なる方向から見た断面斜視図であり、図９は、プリンタ装置の内部に設けられる、いわゆるプリンタメカ部を見た斜視図である。また、図１０は、カッター３０が取り付けられていない状態の本実施の形態におけるプリンタ装置の斜視図であり、図１１及び図１２は、このプリンタ装置の内部に設けられるプリンタメカ部を異なる方向から見た斜視図である。
【００１７】
本実施の形態におけるプリンタ装置１００は、記録ヘッドであるサーマルヘッド１０が搭載されたブロック（「ヘッドモジュール」）と、プラテンローラ２０とカッター３０とが設けられているブロック（「カッタモジュール」）とを結合させることにより構成されている。図９に図示される状態では、これら２つのブロックが結合されており、手前に位置するのがカッターモジュール、後ろ側に位置するのがヘッドモジュールである。
【００１８】
サーマルヘッド１０は、搬送用モータ４０及びカッター用モータ５０とともにヘッドモジュールに取り付けられ、第１のケース６０内に収納されている。また、プラテンローラ２０は、搬送用モータ４０により駆動されるもので、カッター３０とともにカッターモジュールに取り付けられ、第２のケース７０に取り付けられる。カッター３０は、固定刃３１と可動刃３２とを有し、可動刃３２はカッター用モータ５０によって図示上下方向に駆動される。
【００１９】
尚、第１のケース６０は、第１のケース上部６０ａと第１のケース下部６０ｂとにより構成されており、第１のケース上部６０ａと第１のケース下部６０ｂとを分離することも可能である。本実施の形態において、第１のケース６０は樹脂で、第２のケース７０は板金でそれぞれ形成されているが、いずれも他の材料を用いることが可能である。
【００２０】
本実施の形態におけるプリンタ装置１００では、記録紙は、第１のケース６０に設けられた給紙口６１より入れられ、サーマルヘッド１０とプラテンローラ２０の間を通り、サーマルヘッド１０により印字された後、第２のケース７０に形成された排紙口７１より排紙される。
【００２１】
本実施の形態においては、第２のケース７０にカッターモジュールを設置することにより、図５から図９に示されるようにカッターありのプリンタ装置にすることができる。また、第２のケース７０に取り付けるモジュールを、カッターモジュールから、カッター３０の取り付けられていない、プラテンローラ２０を搭載するプラテンモジュールとすることにより、図１０から図１２に示されるようにカッターなしのプリンタ装置にもすることができる。即ち、第２のケース７０に取り付けるモジュールをカッターモジュールとするか、あるいはプラテンモジュールとするかにより、カッターありのプリンタ装置にするかカッターなしのプリンタ装置にするかを選択できる。
【００２２】
図１１及び図１２では、プラテンモジュールとヘッドモジュールとが取り付けられている状態が図示されている。図１１の手前（図１２の奥側）に位置するのがプラテンモジュールであり、図１２の手前（図１１の奥側）に位置するのがヘッドモジュールである。プラテンモジュールには、上記の通りカッター３０は設けられておらず、また図９等とは異なり、カッター駆動用のカッター用モータ５０もいずれのモジュールに設けられていない。なお、以下、カッターモジュールとプラテンモジュールとを区別する必要のない場合には、両者を総称して「カッターモジュール」と称する。
【００２３】
尚、カッターありのプリンタ装置では、第１のケース６０と第２のケース７０との間に、枠状部材７０ａが入っている。一方、カッターなしのプリンタ装置の場合にはこのような部材は第１のケース６０と第２のケース７０との間には設けられていない。枠状部材７０ａは、カッターモジュールとプラテンモジュールとの厚み方向の寸法の差に相当する幅を有し、カッターあり／なし時のケース長を調整する作用を成す。なお、図示の例では、カッターあり／なしのそれぞれの装置でケースの構成を変えているが、双方の装置でケースを全く共通化させてもよい。
【００２４】
本実施の形態におけるプリンタ装置では、図５及び図７に示されるように、通常時には第１のケース６０と第２のケース７０が接続されており、この状態で記録紙に印字が可能である。この状態から、開放ノブ８０を動かすことにより、図１３及び図１４に示されるように、第１のケース６０を第２のケース７０から離すことができる。このように、第１のケース６０と第２のケース７０とを離すことにより、記録紙がプリンタ装置内に詰まった場合には、詰まった記録紙が取り除きやすくなる。
【００２５】
記録紙２００がジャム等により詰まった場合、開放ノブ８０を動かすことにより、図１５に示すように、第２のケース７０に対して第１のケース６０を移動させて両者を離し、記録紙２００を引き抜く。開放ノブ８０には、図１６から図１８に示すように、回動軸８２を中心に回動するロックレバー８１が接続されており、プラテンローラ２０の軸２１は、ロックレバー８１の支持部８３に回転可能な状態で支持される。ヘッドモジュールとカッターモジュールとは、プラテンローラ２０の軸２１が支持部８３に支持された状態で互いに接続される。図１６及び図１７は、第１のケース６０と第２のケース７０が接続され、プラテンローラ２０の軸２１がロックレバー８１の支持部８３に支持されている状態を異なる方向から見た断面を含む斜視図であり、図１８は、第１のケース６０と第２のケース７０とが離れ、プラテンローラ２０の軸２１が支持部８３から外れた状態の断面斜視図である。第１のケース６０を第２のケース７０から分離することで、図１８に示すように第１のケース６０と第２のケース７０との間に隙間が形成される。
【００２６】
図１９から図２１は、開放ノブ８０を操作したときの各部の動作を説明する図である。図１９は、支持部８３がプラテンローラ２０の軸を支持している状態、図２０及び図２１の破線は開放ノブ８０を動かし、支持部８３が軸２１から離れた状態を示している。
【００２７】
図１９の状態、つまりカッターモジュールとヘッドモジュールとが接続している状態では、サーマルヘッド１０はその背面がバネ１１により図示上方に付勢され、サーマルヘッド１０とプラテンローラ２０は接触している。
【００２８】
図２０に示すように、開放ノブ８０を動かすとロックレバー８１が回動軸８２を中心に回動して図示右側に移動する。これにより、プラテンローラ２０の軸２１を支持していた支持部８３が軸２１から離れ、ヘッドモジュールとカッターモジュールとの接続状態が解除される。軸２１が支持部８３により支持されなくなり支持部８３から離れると、サーマルヘッド１０がバネ１１の付勢力により上方向に動き、プラテンローラ２０は上方に付勢される。しかし、プラテンローラ２０の設けられているカッターモジュールは第２のケース７０に固定されているためにプラテンローラ２０の上方への移動は規制され、プラテンローラ２０は図２１に破線にて図示するように、左方向に移動する方向に付勢される。プラテンモジュールとヘッドモジュールとの接続状態が解除されていることから、この左方向への付勢力によって、第２のケース７０は第１のケース６０に対して図示左方向に相対移動しようとし、第１のケース６０と第２のケース７０が離れる。尚、図２２に示されるように、ロックレバー８１には、プラテンローラ２０の軸２１を支持部８３が支持していた状態にロックレバー８１を戻す方向に復元力が働く巻きバネ８４が接続されている。図２２に図示されているように、巻きバネ８４の一端は、ヘッドモジュールのフレームに固定され、他端はロックレバー８１に係合している。
【００２９】
図２３は、本実施の形態におけるプリンタ装置において、第１のケース６０と第２のケース７０が接続されている状態の断面図であり、図２４は、開放ノブ８０を動かして第１のケース６０と第２のケース７０とを離した状態の断面図である。本実施の形態におけるプリンタ装置は、図２３の状態ではヘッドモジュールとカッターモジュールとが接続されており、サーマルヘッド１０にプラテンローラ２０が圧接している。図２３の状態で開放ノブ８０を動かすことにより、図２４に示すように第２のケース７０が図面において左方向にスライドし、第１のケース６０と離れる。この際、カッターモジュールとヘッドモジュールとは分離可能な状態になり、図２４に示すように、第１のケース６０と第２のケース７０とが図示矢印方向に離れることで、図２３の状態で互いに接触していたプラテンローラ２０とサーマルヘッド１０との圧接状態が解除され、両者の間に隙間が生じる。これにより、記録紙の搬送路が開放されるため、ジャムを起こした記録紙を搬送路から容易に除去できる。
【００３０】
図２５及び図２６は、第１のケース６０と第２のケース７０とが分離している状態を異なる方向から見た斜視図である。第２のケース７０の底面７２の中央部分には、上側にＬ字状に曲げられ、第２のケース７０に対して第１のケース６０が移動する方向に延びたスライド部７３が設けられている。また、図２７及び図２８、図３０及び図３１に示されるように、第１のケース６０の底面６２には、中央部分に第２のケース７０に対する第１のケース６０の移動方向に延びる溝部６３が形成されている。符号は付されていないが、溝部は図１４にも図示されている。溝部６３にはネジ穴が設けられており、また、スライド部支持部材６４にはネジ６５が入れられる穴が設けられている。また、溝部６３の幅は、２つのスライド部７３の図２６図示の上側の折り目同士の間隔とほぼ等しい。
【００３１】
第１のケース６０を第２のケース７０に取り付ける際は、溝部６３にスライド部７３を入れ、スライド部７３の上にスライド部支持部材６４を被せ、スライド部支持部材６４に設けられた穴にネジ６５を入れて、溝部６３のネジ穴にネジ止めする。尚、スライド部７３には、ネジ６５と干渉することなく溝部６３内をスライドして移動することができるように、その中央部分に隙間が形成されている。
【００３２】
これにより、第１のケース６０の底面６２に設けられた溝部６３において、第２のケース７０のスライド部７３がスライドすることにより、第１のケース６０と第２のケース７０とを図５のように接続させたり、図１３のように離したりすることができる。このように、溝部６３とスライド部支持部材６４との間で、第２のケース７０のスライド部７３をスライド可能な状態で支持することにより、第１のケース６０から第２のケース７０が離れた際に、第２のケース７０が第１のケース６０と分離して落ちてしまうこと等を防ぐことができる。
【００３３】
本実施の形態においては、図３０から図３３に示すように、第１のケース６０の底面６２に形成された溝部６３の第２のケース７０側の端部６３ａに、スライド部７３の端７３ａが接触すると第１のケース６０のスライド動作が止まる。一方、図２７、図２８に示す状態では、第１のケース６０が最も第２のケース７０側に位置しており、このときに端部６３ａとスライド部７３の端との間隔が最も開いている。このように、スライド部７３は、第１のケース６０と第２のケース７０が接続されて、端部６３ａとスライド部７３の端とが最も離れている状態から、端部６３ａとスライド部７３とが接触するまでの範囲で移動可能であり、この間が、図２７や図２８に示されている、スライド部７３の移動可能領域となる。端部６３ａとスライド部７３との接触により、第２のケース７０に対する第１のケース６０の移動量を制限することができ、第２のケース７０から第１のケース６０が外れることも防止できる。
【００３４】
尚、図２７は、第１のケース６０と第２のケース７０が接続されている状態を裏面側から見た斜視図であり、図２８は裏面図であり、図２９は断面図である。図３０は、第１のケース６０と第２のケース７０とが離れている状態を裏面側から見た斜視図であり、図３１は裏面図であり、図３２は断面図である。図３３は、断面を含む斜視図である。
【００３５】
また、本実施の形態におけるプリンタ装置では、図３４に示されるように、ドライバー等の工具を用いることなく、コイン等によりネジ６５を回すことによって、第２のケース７０にネジどめすることが可能である。
【００３６】
（発券装置等への設置）
本実施の形態におけるプリンタ装置１００は、レシート発券機等の、プリンタ装置が設置される他の装置（以下、総称して「発券装置」と称する）の壁面に、プリンタモジュールとして設置することが可能である。具体的には、図３５から図３８に示されるように、第２のケース７０において排紙口７１が設けられている背面７４を発券装置の壁面２１０にネジどめすることにより、プリンタ装置１００を発券装置に設置することができる。発券装置の壁面２１０には、プリンタ装置の排紙口７１に対応する位置に印字された記録紙２００が排出される開口部２１１が形成されている。
【００３７】
尚、図３５は、給紙口６１を上側にした状態のプリンタ装置１００の斜視図であり、図３６は、図３５の状態でプリンタ装置１００が発券装置の壁面２１０に取り付けられた状態の斜視図である。この場合には記録紙２００の上側が印字面の裏、つまり記録紙の下側が印字面となる。また、図３７は、給紙口６１を下側にした状態のプリンタ装置１００の斜視図であり、図３８は、図３７の状態のプリンタ装置１００が発券装置の壁面２１０に取り付けられた状態の斜視図である。図３７及び図３８では、記録紙２００の上側が印字面となる。
【００３８】
また、図３９及び図４０では、プリンタ装置１００の排紙口７１を上側にした状態を示している。また、図４１は、排紙口７１を下側にした状態のプリンタ装置１００の斜視図であり、図４２は、図４１の状態のプリンタ装置１００が発券装置の壁面２１０に取り付けられた状態の斜視図である。図３９及び図４０、図４１及び図４２に示されるように、本実施の形態によるプリンタ装置は、第２のケース７０の底面７２を発券装置の壁面２１０にネジ止めすることにより設置することもできる。この場合、プリンタ装置１００が取り付けられている発券装置の壁面２１０に対し垂直な壁面２１２には、プリンタ装置１００の背面７４の排紙口７１に対応する位置に印字のなされた記録紙２００が出る開口部２１１が形成されている。尚、図３９及び図４０では、記録紙２００は上側に排紙される。また、図４１及び図４２では、記録紙２００は下側に排紙される。
【００３９】
図４３（ａ）から（ｃ）に示すように、本実施の形態におけるプリンタ装置１００を発券装置の壁面２１０または壁面２１２に取り付け、発券装置の壁面２１０または壁面２１２に記録紙ホルダ２２０を取り付けることも可能である。記録紙ホルダ２２０には、ロース状に巻かれた記録紙２００が設置される。
【００４０】
（カッターなしのプリンタ装置）
次に、図４４から図４６に基づき、カッターなしのプリンタ装置について説明する。本実施の形態におけるプリンタ装置は、カッターありのプリンタ装置で第２のケース７０に取り付けられているカッターモジュールに代え、カッターを取り付けてないプラテンモジュールを搭載する構成とすることにより、カッターなしのプリンタ装置にすることができる。この場合には、第２のケース７０には、プラテンローラ２０を含むプラテンローラユニット（プラテンモジュール）２２が取り付けられる。尚、図４４は、本実施の形態におけるカッターなしのプリンタ装置において、第１のケース６０と第２のケース７０とが接続されている状態の斜視図であり、図４５は、この状態の断面を含む斜視図である。図４６は、本実施の形態におけるカッターなしのプリンタ装置において、第１のケース６０と第２のケース７０とが離れている状態の斜視図である。
【００４１】
カッターなしのプリンタ装置の場合も、図４６に示すように開放ノブ８０の操作によって第１のケースを第２のケースに対して移動させ、プラテンローラとサーマルヘッドとの間を開放することができる。
【００４２】
（独立したプリンタ）
本実施の形態におけるプリンタ装置は、プリンタユニットとして、発券装置の内部に設置されるだけではなく、図４７及び図４８に示すように、スタンドアローン、即ち、独立したプリンタ装置として使用することも可能である。
この場合、第１のケース６０（第１のケース下部６０ｂ）の前面には、プリンタ装置のオペレーションパネルとして必要な要素が配置される。図４７及び図４８の示す例では、第１のケース下部６０ｂの前面に、プリンタ装置の動作を示す表示を行うためのＬＥＤ（light emitting diode）９１、記録紙２００を切断する際に操作されるカットキー９２、記録紙２００を搬送する際に操作されるフィードキー９３、インターフェース用接続端子としてのＲＳ２３２Ｃ接続端子９４、ＵＳＢ接続端子９５、電源の供給ためのＡＣアダプタ接続端子９６が設けられている。また、図４８に図示されるように、プリンタ装置をスタンドアローンの装置として機能させるための制御基板９７が、第１のケース６０内に設けられている。プリンタ装置に設けられる各種のキーやＬＥＤなどは例示であり、図４７等に図示されている要素を設けない、あるいは図示されている要素に加え他の要素を取り付けてもよいことは言うまでもない。また、上記の構成は一例であり、これに限定されるものではなく、色々な組み合わせも可能である。
【００４３】
尚、本実施の形態におけるプリンタ装置をモジュールとして発券装置に設置する場合には、プリンタ装置の内部には制御基板９７が設けられていてもよく、また、図４９に示すように、プリンタ装置に制御基板９７を設けず、発券装置の制御部等によりプリンタ装置が制御されるものであってもよい。
【００４４】
（排紙口）
本実施の形態におけるプリンタ装置は、図５０に示されるように、プリンタ装置１００の排紙口７１にプレゼンタ２３０が接続されたものであってもよい。また、図５１に示すように、プリンタ装置１００の排紙口７１にベゼル２４０が接続されたものであってもよい。プレゼンタ２３０は、印字された記録紙２００がユーザにより抜き取られなかった場合に、記録紙２００を内部に回収する機能を有するものである。一方、ベゼル２４０は、排紙口７１の美観やデザイン的観点より設けられるものである。
【００４５】
（給紙口）
本実施の形態におけるプリンタ装置は、図５２及び図５３に示されるように、第１のケース６０の給紙口６１にフラッパ６６が設けられている。フラッパ６６は、第１のケース６０に回動軸６６ａを中心に回動可能な状態で取り付けられている。記録紙２００に印字をする場合には、図５２（ａ）及び（ｂ）に示されるようにフラッパ６６は下に閉じられ、記録紙２００のガイドとして機能する。プリンタ装置に詰まった記録紙２００を除去する必要がある場合などには、図５３（ａ）及び（ｂ）に示されるようにフラッパ６６を上げて開き、給紙口６１の部分を広げることにより、記録紙２００が取り除きやすくなる。
【００４６】
また、図５４（ａ）に示されるように、フラッパ６６には、フラッパ６６が閉じる方向に復元力を有する板バネ６７が接続されていてもよい。板バネ６７の復元力により、フラッパ６６を、給紙口６１から給紙される記録紙２００にテンションをかけるダンパーとして機能させることができる。また、図５４（ｂ）に示すように、板バネ６７に代えて、トーションバネ６８を用いてもよい。
【００４７】
〔第２の実施の形態〕
次に、第２の実施の形態によるプリンタ装置を説明する。図５５は、筐体部材３００にプリンタ装置及び記録紙が設置されている状態の斜視図であり、図５６及び図５７は、筐体部材３００を異なる方向から見た斜視図である。
【００４８】
本実施の形態によるプリンタ装置は、筐体部材に第１の実施の形態におけるプリンタ装置１００とロール紙２００とが設置されているプリンタ装置である。
【００４９】
本実施の形態におけるプリンタ装置は、図５５から図５７に示されるような筐体部材３００の内部に、プリンタ装置１００とロール紙２００とが設置されている。筐体部材３００は、ロール紙２００を設置する記録紙設置領域３１０と、プリンタ装置１００が設置されるプリンタ設置領域３２０とを有している。記録紙設置領域３１０には、ロール紙２００を設置するための給紙軸３１１が設けられており、プリンタ設置領域３２０に設置されたプリンタ装置１００により印字がなされ排紙口７１より排紙された記録紙は、筐体部材３００に設けられた筐体部材排紙口３２１より排紙される。
【００５０】
筐体部材３００の外側には、平面状の第１の設置面３０１と第２の設置面３０２とが設けられている。プリンタ装置を机や壁面に設置する場合、机や壁面等と接する面が第１の設置面３０１となるように設置してもよく、また、机や壁面等と接する面が第２の設置面３０２となるように設置してもよい。また、筐体部材３００の側面となる第３の設置面３０３を発券装置の壁面等に設置してもよい。
【００５１】
また、本実施の形態におけるプリンタ装置は、図５８に示される筐体部材４００の内部に、プリンタ装置１００とロール紙２００とが設置されている。筐体部材４００は、ロール紙２００を設置する記録紙設置領域４１０と、プリンタ装置１００が設置されるプリンタ設置領域４２０とを有している。記録紙設置領域４１０には、ロール紙２００を設置するための給紙軸４１１が設けられており、プリンタ装置１００はプリンタ設置領域４２０に設置され、プリンタ装置１００により印字がなされ排紙口７１より排紙された記録紙は、筐体部材４００に設けられた筐体部材排紙口４２１より排紙される。
【００５２】
筐体部材４００の外側には、平面により形成された第１の設置面４０１、第２の設置面４０２、第３の設置面４０３が設けられており、図５９（ａ）に示されるように、机や壁面等と接する面が第１の設置面４０１となるように設置してもよく、図５９（ｂ）に示されるように、机や壁面等と接する面が第２の設置面４０２となるように設置してもよく、図５９（ｃ）に示されるように、机や壁面等と接する面が第３の設置面４０３となるように設置してもよい。
【００５３】
以上、本発明の実施に係る形態について説明したが、上記内容は、発明の内容を限定するものではない。
【符号の説明】
【００５４】
１０        サーマルヘッド
２０        プラテンローラ
２１        軸
３０        カッター
４０        搬送用モータ
５０        カッター用モータ
６０        第１のケース
６０ａ      第１のケース上部
６０ｂ      第１のケース下部
６１        給紙口
６２        底面
６３        溝部
６３ａ      端部
６４        スライド部支持部材
６５        ネジ
６６        フラッパ
７０        第２のケース
７１        排紙口
７２        底面
７３        スライド部
７４        背面
８０        開放ノブ
８１        ロックレバー
８２        回動軸
８３        支持部
８４        巻きバネ
１００      プリンタ装置
２００      記録紙（ロール状に巻かれた記録紙）
【図５】
2016203382.tif 000003
【図６】
2016203382.tif 000004
【図１５】
2016203382.tif 000005
【図１９】
2016203382.tif 000006
【図２０】
2016203382.tif 000007
【図２１】
2016203382.tif 000008
【図２８】
2016203382.tif 000009
【図２９】
2016203382.tif 000010
【図３１】
2016203382.tif 000011
【図３２】
2016203382.tif 000012
【図３４】
2016203382.tif 000013
【図３５】
2016203382.tif 000014
【図３６】
2016203382.tif 000015
【図３７】
2016203382.tif 000016
【図３８】
2016203382.tif 000017
【図３９】
2016203382.tif 000018
【図４０】
2016203382.tif 000019
【図４１】
2016203382.tif 000020
【図４２】
2016203382.tif 000021
【図４３】
2016203382.tif 000022
【図５０】
2016203382.tif 000023
【図５１】
2016203382.tif 000024
【図５２】
2016203382.tif 000025
【図５３】
2016203382.tif 000026
【図５４】
2016203382.tif 000027
【図５９】
2016203382.tif 000028
【図１】
2016203382.tif 000029
【図２】
2016203382.tif 000030
【図３】
2016203382.tif 000031
【図４】
2016203382.tif 000032
【図７】
2016203382.tif 000033
【図８】
2016203382.tif 000034
【図９】
2016203382.tif 000035
【図１０】
2016203382.tif 000036
【図１１】
2016203382.tif 000037
【図１２】
2016203382.tif 000038
【図１３】
2016203382.tif 000039
【図１４】
2016203382.tif 000040
【図１６】
2016203382.tif 000041
【図１７】
2016203382.tif 000042
【図１８】
2016203382.tif 000043
【図２２】
2016203382.tif 000044
【図２３】
2016203382.tif 000045
【図２４】
2016203382.tif 000046
【図２５】
2016203382.tif 000047
【図２６】
2016203382.tif 000048
【図２７】
2016203382.tif 000049
【図３０】
2016203382.tif 000050
【図３３】
2016203382.tif 000051
【図４４】
2016203382.tif 000052
【図４５】
2016203382.tif 000053
【図４６】
2016203382.tif 000054
【図４７】
2016203382.tif 000055
【図４８】
2016203382.tif 000056
【図４９】
2016203382.tif 000057
【図５５】
2016203382.tif 000058
【図５６】
2016203382.tif 000059
【図５７】
2016203382.tif 000060
【図５８】
2016203382.tif 000061